(57)【特許請求の範囲】
【請求項１】
筐体内に設置された熱交換器の上流側に、空気中の塵埃を捕集するエアフィルタがフィルタ移動経路に沿って移動可能に付設されているとともに、前記エアフィルタを前記フィルタ移動経路に沿って移動させながら該エアフィルタで捕集された塵埃を除去するフィルタ清掃機構が装備されている空気調和機において、
前記フィルタ清掃機構は、前記エアフィルタを前記フィルタ移動経路に沿って移動するフィルタ駆動ローラ、前記フィルタ移動経路を形成するフィルタガイド部材、並びに、所定位置に固定された前記フィルタ駆動ローラおよび前記エアフィルタから塵埃を掻き取る所定位置に固定された回転ブラシをそれぞれの軸線周りに回転駆動する駆動機構の少なくともいずれか一つを備え、
前記フィルタ駆動ローラ、および、前記駆動機構の少なくともいずれか一つが前記筐体を構成しているフロントカバーに着脱自在に組み込まれ、
前記フィルタガイド部材が前記フロントカバーに一体に組み込まれていることを特徴とする空気調和機。
【請求項２】
前記フィルタ清掃機構は、前記フィルタ移動経路を形成する湾曲ガイド部材を更に備え、
前記湾曲ガイド部材は、前記フロントカバーに着脱自在に組み込まれていることを特徴とする請求項１に記載の空気調和機。
【請求項３】
前記フィルタ清掃機構は、前記フィルタ移動経路を形成する桟、吸込みグリル、および、フィルタ保持枠の少なくともいずれか一つを更に備え、
前記桟、前記吸込みグリル、および、前記フィルタ保持枠の少なくともいずれか一つは、前記フロントカバーに一体に組み込まれていることを特徴とする請求項１又は２に記載の空気調和機。
【請求項４】
前記フロントカバーには、中央部にセンターフレーム、左右両サイドにサイドフレームが設けられ、該センターフレームおよびサイドフレーム間に、前記フィルタ清掃機構を構成する前記フィルタ駆動ローラ、前記フィルタ移動経路、前記駆動機構、並びに前記エアフィルタがそれぞれ左右一対設けられていることを特徴とする請求項１ないし３のいずれかに記載の空気調和機。
【請求項５】
前記駆動機構は、左右両サイドの前記サイドフレームの側面にそれぞれ配設されていることを特徴とする請求項４に記載の空気調和機。
【請求項６】
前記フロントカバーには、その前面側を覆うフロントパネルが開閉自在に設けられていることを特徴とする請求項１ないし５のいずれかに記載の空気調和機。
【発明の詳細な説明】
【技術分野】
【０００１】
本発明は、エアフィルタを自動的に清掃するフィルタ清掃機構を備えている空気調和機に関するものである。
【背景技術】
【０００２】
エアフィルタで捕集された塵埃が蓄積されると、通風抵抗が増大し、空気調和機の運転効率が低下する。そこで、エアフィルタにより捕集された塵埃を定期的に除去し、エアフィルタを自動清掃するフィルタ清掃機構を備えた空気調和機が提供されている。また、フィルタ清掃機構として、様々な方式が提案されている。その１として、熱交換器の上流側に配設されているエアフィルタをフィルタガイドに沿って移動させ、その移動経路に沿って設置されている回転ブラシ等を介してエアフィルタ上の塵埃を掻き取り、それをダストボックス内に回収するように構成したものが知られている。
【０００３】
かかる空気調和機において、フィルタ清掃機構は、エアフィルタ、その移動経路を形成するガイド部材、エアフィルタを移動経路に沿って移動するフィルタ駆動ローラ、エアフィルタから塵埃を掻き取る回転ブラシ、該回転ブラシで掻き取った塵埃を回収するダストボックス、前記フィルタ駆動ローラおよび回転ブラシを駆動するモータおよび歯車機構を含む駆動機構等をフィルタ清掃ユニットとして一体化し、それをベース本体に固定設置した構成とされか、もしくはその一部である回転ブラシおよびダストボックスを分離し、それらをベース本体に設置されている前面グリルの前面側に着脱自在に設置した構成とされている（例えば、特許文献１−４参照）。
【先行技術文献】
【特許文献】
【０００４】
【特許文献１】特許第４１７５４０９号公報
【特許文献２】特許第４３６９４５８号公報
【特許文献３】特開２００９−１６８３９２号公報
【特許文献４】特開２０１０−７１５６２号公報
【発明の概要】
【発明が解決しようとする課題】
【０００５】
フィルタ清掃機構が搭載された空気調和機は、部品数が多く、構成が複雑になり勝ちである。また、可動部が多く、故障し易い面があることから、メンテナンスや部品交換のし易さが求められる。しかしながら、上記特許文献１−４に示されるものでは、フィルタ清掃機構の主要構成部品が、複数の異なる部品に分離してアセンブリされたり、あるいは一体化されたフィルタ清掃ユニットが、ベース本体と該ベース本体に設置されている前面グリル（前面カバー、前面パネルとも称される）との間のスペースに独立してアセンブリされたりしている。
【０００６】
このため、メンテナンスや部品交換の際、フィルタ清掃ユニットを取り外すには、必ず前面グリル（または前面カバー、前面パネル）を取り外さなければならず、メンテナンスや部品交換が容易とは云い難かった。特に、主要構成機器が複数の異なる部品に分離してアセンブリされている場合には、メンテナンスがし難いという問題があった。また、フィルタ清掃機構を一体化したフィルタ清掃ユニットとしてアセンブリするには、構成部品を纏めて組み込む大型の専用フレームが必要であり、部品数の増加、構成の複雑化、コストアップ等は避けられないという課題があった。
【０００７】
本発明は、このような事情に鑑みてなされたものであって、フィルタ清掃機構に対するメンテナンスや部品の交換を容易化できるとともに、フィルタ清掃機構搭載時における構成の簡素化、コストダウン、組み立ての容易化等を図ることができる空気調和機を提供することを目的とする。
【課題を解決するための手段】
【０００８】
上記した課題を解決するために、本発明の空気調和機は、以下の手段を採用する。
すなわち、本発明にかかる空気調和機は、筐体内に設置された熱交換器の上流側に、空気中の塵埃を捕集するエアフィルタがフィルタ移動経路に沿って移動可能に付設されているとともに、前記エアフィルタを前記フィルタ移動経路に沿って移動させながら該エアフィルタで捕集された塵埃を除去するフィルタ清掃機構が装備されている空気調和機において、前記フィルタ清掃機構は、前記エアフィルタを前記フィルタ移動経路に沿って移動するフィルタ駆動ローラ、前記フィルタ移動経路を形成するフィルタガイド部材、並びに、所定位置に固定された前記フィルタ駆動ローラおよび前記エアフィルタから塵埃を掻き取る所定位置に固定された回転ブラシをそれぞれの軸線周りに回転駆動する駆動機構の少なくともいずれか一つを備え、前記フィルタ駆動ローラ、および、前記駆動機構の少なくともいずれか一つが前記筐体を構成しているフロントカバーに着脱自在に組み込まれ、前記フィルタガイド部材が前記フロントカバーに一体に組み込まれていることを特徴とする。
【０００９】
本発明によれば、フィルタ清掃機構を備えている空気調和機において、該フィルタ清掃機構が、少なくともエアフィルタをフィルタ移動経路に沿って移動するフィルタ駆動ローラ、エアフィルタから塵埃を掻き取る回転ブラシ、該回転ブラシにより掻き取られた塵埃を回収するダストボックス、フィルタ移動経路を形成するフィルタガイド部材、フィルタ駆動ローラおよび回転ブラシを駆動するモータ等を含む駆動機構等から構成され、これらの構成部品が筐体を構成しているフロントカバーに一体にかつ着脱自在に組み込まれているため、部品数が多く構成が複雑になり勝ちで、しかも可動部が多く、故障時のメンテナンス性や部品交換の容易性が求められるフィルタ清掃機構にあって、エアフィルタを自動清掃するフィルタ清掃機構の主要構成部品の略すべてを、フロントカバーに纏めてアセンブリした構成することができる。従って、フィルタ清掃機構が故障した際のメンテナンスや部品交換を容易化することができるとともに、フィルタ清掃機構を搭載するための専用フレーム等を不要化し、構成の簡素化、コストダウン、組み立ての容易化等を図ることができる。また、熱交換器や送風機等が組み込まれるベース本体側を共用化し、フィルタ清掃機構の有無による機種の展開がフロントカバーの組み替えのみで可能となるため、空気調和機の生産性を向上することができる。
【００１０】
本発明の空気調和機は、上記の空気調和機において、前記フィルタ清掃機構は、前記フィルタ移動経路を形成する湾曲ガイド部材を更に備え、前記湾曲ガイド部材は、前記フロントカバーに着脱自在に組み込まれていることを特徴とする。
本発明の空気調和機は、上記の空気調和機において、前記フィルタ清掃機構は、前記フィルタ移動経路を形成する桟、吸込みグリル、および、フィルタ保持枠の少なくともいずれか一つを更に備え、前記桟、前記吸込みグリル、および、前記フィルタ保持枠の少なくともいずれか一つは、前記フロントカバーに一体に組み込まれていることを特徴とする。
また、本発明の空気調和機は、上記の空気調和機において、前記フロントカバーには、中央部にセンターフレーム、左右両サイドにサイドフレームが設けられ、該センターフレームおよびサイドフレーム間に、前記フィルタ清掃機構を構成する前記フィルタ駆動ローラ、前記フィルタ移動経路、前記駆動機構、並びに前記エアフィルタがそれぞれ左右一対設けられていることを特徴とする。
【００１１】
本発明によれば、フロントカバーの中央部にセンターフレーム、左右両サイドにサイドフレームが設けられ、該センターフレームおよびサイドフレーム間に、フィルタ清掃機構を構成するフィルタ駆動ローラ、回転ブラシ、ダストボックス、フィルタ移動経路、駆動機構、並びにエアフィルタがそれぞれ左右一対設けられているため、横長長方形状とされている筐体内に付設されるエアフィルタを左右に２分割し、それに対応させて左右一対のフィルタ清掃機構を、フロントカバーに設けられたセンターフレームと左右両サイドのサイドフレーム間に、適度な幅寸法として設置することができる。従って、フィルタ清掃機構をフロントカバーのセンターフレームとサイドフレーム間に良好な納まり状態で組み込むことができ、フィルタ清掃機構付き空気調和機をコンパクト化することができる。
【００１２】
さらに、本発明の空気調和機は、上記の空気調和機において、前記駆動機構は、左右両サイドの前記サイドフレームの側面にそれぞれ配設されていることを特徴とする。
【００１３】
本発明によれば、駆動機構が、左右両サイドのサイドフレームの側面にそれぞれ配設されているため、フィルタ駆動ローラおよび回転ブラシを駆動するモータ、歯車等を含む左右一対の駆動機構を、左右一対のエアフィルタの通風路にかからないように、その左右両端側に配設することができる。従って、フィルタ清掃機構を設置したことによる通風抵抗の増大を最小限とし、空調性能に影響を及ぼさないようにすることができる。
【００１４】
さらに、本発明の空気調和機は、上述のいずれかの空気調和機において、前記フロントカバーには、その前面側を覆うフロントパネルが開閉自在に設けられていることを特徴とする。
【００１５】
本発明によれば、フロントカバーに、その前面側を覆うフロントパネルが開閉自在に設けられているため、フロントカバーの前面に設けられたフロントパネルにより、フロントカバーに組み込まれているフィルタ清掃機構の前面を覆い隠し、空気調和機の外観意匠をデザインすることができる。従って、空気調和機の意匠性が損なわれる虞はなく、しかもエアフィルタおよびフィルタ清掃機構に対しては、フロントパネルを開閉するだけで容易に前面側からアクセスすることができる。
【発明の効果】
【００１６】
本発明によると、部品数が多く構成が複雑になり勝ちで、しかも可動部が多く、故障時のメンテナンス性や部品交換の容易性が求められるフィルタ清掃機構にあって、エアフィルタを自動清掃するフィルタ清掃機構の主要構成部品の略すべてを、フロントカバーに纏めてアセンブリした構成することができるため、フィルタ清掃機構が故障した際のメンテナンスや部品の交換を容易化することができるとともに、フィルタ清掃機構を搭載するための専用フレーム等を不要化し、構成の簡素化、コストダウン、組み立ての容易化等を図ることができる。また、熱交換器や送風機等が組み込まれるベース本体側を共用化し、フィルタ清掃機構の有無による機種の展開がフロントカバーの組み替えのみで可能となるため、空気調和機の生産性を向上することができる。
【図面の簡単な説明】
【００１７】
【図１】本発明の一実施形態に係る空気調和機の外観斜視図である。
【図２】図１に示す空気調和機のフロントパネルを取外した状態の斜視図である。
【図３】図１に示す空気調和機の縦断面図である。
【図４】図２に示す空気調和機から回転ブラシおよびダストボックスと湾曲ガイド部材を取り外した状態の分解斜視図である。
【図５】図４に示す空気調和機から更にフィルタ駆動ローラを取り外した状態の分解斜視図である。
【図６】図４に示す空気調和機からフィルタ駆動ローラおよび回転ブラシの駆動機構を取り外した状態の分解斜視図である。
【発明を実施するための形態】
【００１８】
以下に、本発明の一実施形態について、図１ないし図６を参照して説明する。
図１には、本発明の一実施形態に係る空気調和機の外観斜視図が示され、図２には、そのフロントパネルを取外した状態の斜視図が示され、更に図３には、その縦断面図が示されている。ここでは、壁掛け型の空気調和機１が例示されている。
空気調和機１は、ベース本体２と、該ベース本体２にその前方部位を上下、左右、および前面から被うように着脱自在に設けられたフロントカバー３と、該フロントカバー３の前面に上部を支点に上方に開閉自在に設けられたフロントパネル４とから構成された横長長方形状の筐体５を備えている。
【００１９】
筐体５を構成しているフロントカバー３の前面および上面は、その略全面が格子状の桟６，７とされ、該桟６，７により空気吸込み口８が形成されるとともに、該桟６，７がフィルタガイドを兼ねるように構成されている。また、フロントカバー３には、空気吸込み口８の左右方向の中央部にセンターフレーム３Ａが形成され、空気吸込み口８の左右両側にサイドフレーム３Ｂ，３Ｃが形成されている。なお、これらセンターフレーム３Ａおよびサイドフレーム３Ｂ，３Ｃは、後述するフィルタ清掃機構２３の構成部品およびその関連部品等が組み付けられるため、必要な強度が確保されている。
【００２０】
さらに、フロントカバー３の上面には、吸込みグリル９が設置されており、また、その下面の前方部位には、略全幅にわたり温調された空気を室内に吹出すための吹出し口１０が開口されている。この空気吹出し口１０には、風向を左右方向に変更する複数枚のルーバ１１と、風向を上下方向に変更するとともに、空気吹出し口１０を閉鎖可能な左右に２分割されている上下各２枚の水平フラップ１２が設けられている。なお、このルーバ１１および水平フラップ１２は、図示省略のモータによって、それぞれ独立して回動されるように構成されている。
【００２１】
筐体５内には、前面および上面の空気吸込み口８から下面前方部位の空気吹出し口１０に至る間に空気流路１３が形成されており、該空気流路１３中に上流側からエアフィルタ１４、室内熱交換器（熱交換器）１５および室内送風機１６が順次配設されている。吸込みグリル９を介して吸込まれた室内空気は、エアフィルタ１４を通過して塵埃が除去された後、室内熱交換器１５により冷却または加熱され、室内送風機１６を介して空気吹出し口８から室内に吹出されるようになっている。エアフィルタ１４は、左右に２分割されて設置されており、該エアフィルタ１４の背面側の前面上方部位には、それぞれ横長の空清フィルタ１７がフィルタ保持枠１８を介して左右に一対配設されている。
【００２２】
室内熱交換器１５は、概略Λ形状に折り曲げ形成されたプレートフィンチューブ型熱交換器とされ、筐体５内において、前面の下部位置から上面および後面にかけて配設されている。該室内熱交換器１５の下流側において、その内側空間内に室内送風機１６を構成する細長い筒状のクロスフローファンが配設されている。一対のエアフィルタ１４は、室内熱交換器１２の上流側において、筐体５を構成しているフロントカバー３の前面および上面の略全面に設けられている格子状の桟６，７の前面側領域を覆うように、多数のフィルタガイド部材によって形成される第１フィルタ移動経路１９に沿って付設されている。
【００２３】
第１フィルタ移動経路１９は、フロントカバー３の桟６，７の表面、吸込みグリル９の下面、フロントカバー３の前面側に設置されているフィルタガイド部材２０、空清フィルタ１７のフィルタ保持枠１８の外表面、該フィルタ保持枠１８に対向してフロントカバー３の前面上方部位に設置されているフィルタガイド部材２１、フロントパネル４の背面にフィルタガイド部材２０と対向配置されているフィルタガイド部材２２等々の多数のフィルタガイド部材によりフロントカバー３の左右に一対で形成されている。これらの多数のフィルタガイド部材は、フロントカバー３に一体に組み付けられている。
【００２４】
この第１フィルタ移動経路１９は、筐体５の上面側の空気吸込み口８に沿って形成されている移動経路１９Ａと、筐体５の前面側の空気吸込み口８に沿って形成されている移動経路１９Ｂとにより構成されている。また、第１フィルタ移動経路１９を介して室内熱交換器１５の上流側に付設されているエアフィルタ１４は、その上流側の塵埃捕集面により捕集された塵埃を除去するため、左右一対のフィルタ清掃機構２３により第１フィルタ移動経路１９内を往復動可能とされている。
【００２５】
フィルタ清掃機構２３は、エアフィルタ１４上に捕集されている塵埃を除去してエアフィルタ１４を自動清掃するためのものであり、フロントカバー３の前面側の下方部位に設置されている。本実施形態のフィルタ清掃機構２３は、エアフィルタ１４を往復動させるための左右一対の円筒状をなすフィルタ駆動ローラ２４と、該フィルタ駆動ローラ２４の下方に対向配置され、該フィルタ駆動ローラ２４により移動されるエアフィルタ１４の塵埃捕集面から塵埃を掻き取る左右一対の回転ブラシ２５と、該回転ブラシ２５で掻き取った塵埃を回収して溜め込む左右一対の着脱可能なダストボックス２６と、フィルタ駆動ローラ２４および回転ブラシ２５を駆動する後述するステッピングモータ４０，４４および歯車列４１等からなる左右一対の駆動機構３８等を備えた構成とされている。
【００２６】
一対のフィルタ駆動ローラ２４の左右両端部には、歯車（ピニオン）２４Ａが設けられており、この歯車２４Ａにエアフィルタ１４のフィルタ枠の左右両側に設けられているラック１４Ａが噛み合わされている。これによって、各フィルタ駆動ローラ２４を介して左右一対のエアフィルタ１４が、それぞれ第１フィルタ移動経路１９内を往復動可能とされている。なお、各フィルタ駆動ローラ２４は、駆動機構３８のフィルタ用ステッピングモータ４０（図６参照）を介して正逆回転可能とされている。
【００２７】
また、フィルタ清掃時に、エアフィルタ１４がフィルタ清掃機構２３のフィルタ駆動ローラ２４を介して移動されたとき、その移動経路を確保するための第２フィルタ移動経路２７および第３フィルタ移動経路２９が筐体５を構成するフロントカバー３上に左右一対で形成されている。第２フィルタ移動経路２７は、エアフィルタ１４をフィルタ駆動ローラ２４に沿う湾曲部を介して上方に折り返すための湾曲経路（Ｕターン経路）とされており、フィルタ駆動ローラ２４の外周面と該フィルタ駆動ローラ２４に沿って設けられている湾曲ガイド部材２８とによって形成されている。該第２フィルタ移動経路２７は、第１フィルタ移動経路１９の一端に連続されている。
【００２８】
第３フィルタ移動経路２９は、エアフィルタ１４を室内熱交換器１５の上方部位から外れた位置に導くための経路であって、第２フィルタ移動経路２７のＵターンされた側の端部に連続されている。この第３フィルタ移動経路２９は、室内熱交換器１５の前面側において、フロントパネル４の背面に沿って上下方向に延在されている第１フィルタ移動経路１９の移動経路１９Ｂと、室内熱交換器１５の前面側との間を通して、該移動経路１９Ｂと略平行に上方に延在されている。
【００２９】
また、第３フィルタ移動経路２９は、フロントカバー３の前面側の桟６の表面とフィルタガイド部材２０の後面２０Ａとの間に形成される上方に延在する移動経路２９Ａと、筐体５内の前面上方部位で第１フィルタ移動経路１９と交差してフロントパネル４の背面に延在する、フィルタガイド部材２１とフロントパネル４背面のフィルタガイド部材２２とによって形成される移動経路２９Ｂと、フロントパネル４の背面に沿って下向きに折り返されて下方に延在し、フィルタガイド部材２１の下端付近で第１フィルタ移動経路１９に合流される、フィルタガイド部材２１とフロントパネル４背面のフィルタガイド部材２２とによって形成される移動経路２９Ｃとから構成されている。
【００３０】
なお、第３フィルタ移動経路２９と第１フィルタ移動経路１９が交差する位置は、エアフィルタ１４が第３フィルタ移動経路２９に沿って移動される過程で、その一端が交差位置に差し掛かったとき、第１フィルタ移動経路１９を移動しているエアフィルタ１４の他端が交差位置を通過しているように、第２フィルタ移動経路２７のＵターン位置から最遠の上方位置に設定されている。
【００３１】
さらに、本実施形態においては、フィルタ清掃機構２３を構成しているフィルタ駆動ローラ２４、回転ブラシ２５、ダストボックス２６、および第２フィルタ移動経路２７を形成している湾曲ガイド部材２８等が、複数のロック機構３０、３１および軸押え部材３２を介してフロントカバー３に着脱自在に組み込まれている。そして、これらのロック機構３０，３１および軸押え部材３２を開放することにより、フィルタ駆動ローラ２４、回転ブラシ２５、ダストボックス２６、および湾曲ガイド部材２８が、図４および図５に示されるように、着脱自在、取り外し可能とされている。同様に、後述する左右一対の駆動機構３８も、図６に示さるように、フロントカバー３に着脱自在に組み込まれている。
【００３２】
左右一対の回転ブラシ２５は、図４に示されるように、左右一対のダストボックス２６に一体に組み込まれており、各々のダストボックス２６は、左右両側に設けられている一対のスライド方式のロック機構３０を介して、フロントカバー３のセンターフレーム３Ａとサイドフレーム３Ｂ，３Ｃとの間に着脱自在に組み込まれている。また、フィルタ駆動ローラ２４の外周に沿って該フィルタ駆動ローラ２４と回転ブラシ２５およびダストボックス２６との間に組み込まれている湾曲ガイド部材２８は、ダストボックス２６の上部にて、左右両側に設けられている一対のスライド方式のロック機構３１を介して、フロントカバー３のセンターフレーム３Ａとサイドフレーム３Ｂ，３Ｃとの間に着脱自在に組み込まれている。
【００３３】
各回転ブラシ２５の右側端部および左側端部には、歯車（ピニオン）２５Ａが一体に設けられており、この歯車２５Ａが、後述する駆動機構３８のブラシ用ステッピングモータ４４（図６参照）の出力軸に設けられている歯車４５と噛み合わされることにより、回転ブラシ２５が回転駆動されるように構成されている。
なお、ロック機構３０，３１は、それぞれ水平方向にスライド自在に設けられたキー部材を、フロントカバー３のセンターフレーム３Ａおよびサイドフレーム３Ｂ，３Ｃに設けられているロック部材の穴にスライドさせて挿入することにより、係脱自在とされたものであり、それぞれ同様の構成とされている。
【００３４】
また、一対のフィルタ駆動ローラ２４は、図５に示されるように、外側端部に軸穴３３が設けられており、該軸穴３３がフロントカバー３のサイドフレーム３Ｂ，３Ｃに設けられている後述する駆動機構３８の出力軸４３に嵌合されることにより、一端が回転駆動可能に支持され、他端は、その中央側端部に軸部３４が設けられ、該軸部３４がセンターフレーム３Ａに設けられている中央軸受部３５に軸押え部材３２を介して押し付けられることによって、回転自在に軸受け支持されている。軸押え部材３２は、下端部がセンターフレーム３Ａの支持部に回転自在に支持され、上端部がセンターフレーム３Ａに設けられている係止部３６に引っ掛け爪３７を介して係止めされることにより、軸部３４を軸受け支持している。
【００３５】
さらに、上記フィルタ駆動ローラ２４および回転ブラシ２５を駆動する一対の駆動機構３８は、図６に示されるように、フロントカバー３のサイドフレーム３Ｂ，３Ｃの内側面に着脱自在に組み込まれている。この駆動機構３８は、ギヤボックス３９を備え、その内部には、フィルタ用ステッピングモータ４０と、該フィルタ用ステッピングモータ４０の出力軸に連なる減速歯車列４１とが内蔵されている。減速歯車列４１を構成している歯車４２の出力軸４３は、フィルタ駆動ローラ２４を駆動する出力軸４３として、ギヤボックス３９の側面から突出されており、該出力軸４３に上記の如くフィルタ駆動ローラ２４が結合されるようになっている。
【００３６】
また、ギヤボックス３９の下部側側面には、フィルタ用ステッピングモータ４０よりも小型のブラシ用ステッピングモータ４４が組み付けられている。該ブラシ用ステッピングモータ４４の出力軸には、歯車４５が設けられており、該歯車４５が左右一対の回転ブラシ２５の右側端部および左側端部に設けられている歯車（ピニオン）２５Ａに噛み合わされることによって、回転ブラシ２５が回転駆動されるように構成されている。
【００３７】
斯くして、フィルタ清掃機構２３を構成している、エアフィルタ１４をフィルタ移動経路１９、２７、２９に沿って移動するフィルタ駆動ローラ２４、エアフィルタ１４から塵埃を掻き取る回転ブラシ２５、該回転ブラシ２５により掻き取られた塵埃を回収するダストボックス２６、フィルタ駆動ローラ２４および回転ブラシ２５を駆動するステッピングモータ４０，４４を含む駆動機構３８等の各機器類、並びにエアフィルタ１４のフィルタ移動経路１９、２７、２９を形成している桟６，７、吸込みグリル９、フィルタ保持枠１８、フィルタガイド部材２０ないし２２、湾曲ガイド部材２８等の多数のフィルタガイド部材を含むエアフィルタ１４の自動清掃機構に関する部品の略すべてが、フロントカバー３に一体的にかつ着脱自在にアセンブリされた構成とされている。
【００３８】
以上に説明の構成により、本実施形態によれば、以下の作用効果を奏する。
空気調和機１が運転されると、室内送風機１６の回転により、室内空気が吸込みグリル９および空気吸込み口８を介して筐体５内に吸込まれる。該空気は、エアフィルタ１４および空清フィルタ１７を通過する過程で塵埃、臭気等が除去され、清浄化されて室内熱交換器１５に供給される。そして、この空気が室内熱交換器１５で内部を流通する冷媒と熱交換されて冷却または加熱された後、空気流路１３、空気吹出し口１０を経て室内に吹出されることによって、室内の冷房または暖房に供される。
【００３９】
空気調和機１の運転時間が長くなると、エアフィルタ１４に捕集された塵埃が少しずつ蓄積され、通風抵抗が徐々に増加される。そのまま運転を続けると、圧損が増大し、空気調和機１の運転効率が低下されるため、例えば累積運転時間が設定時間に到達時の運転終了時毎に、フィルタ清掃機構２３を稼働させ、エアフィルタ１４上に蓄積されている塵埃を除去するフィルタ清掃運転を行うようにしている。このフィルタ清掃運転は、駆動機構３８を介してフィルタ清掃機構２３のフィルタ駆動ローラ２４および回転ブラシ２５を回転駆動し、第１フィルタ移動経路１９に沿って付設されているエアフィルタ１４を、第２フィルタ移動経路２７を経て第３フィルタ移動経路２９へと移動させることによって行われる。
【００４０】
すなわち、ステッピングモータ４０で減速歯車列４１を介して駆動されるフィルタ駆動ローラ２４の回転により、歯車２４Ａにラック１４Ａを介して噛み合っているエアフィルタ１４が移動され、第１フィルタ移動経路１９から第２フィルタ移動経路２７および第３フィルタ移動経路２９へと往動される。この間、フィルタ駆動ローラ２４と対向配置されている回転ブラシ２５が、ステッピングモータ４４を介して回転されながらエアフィルタ１４の塵埃捕集面に接触し、エアフィルタ１４上に蓄積されている塵埃を掻き取り、該塵埃をダストボックス２６内に回収することによって、エアフィルタ１４の塵埃捕集面が自動的に清掃される。
【００４１】
然して、本実施形態においては、室内熱交換器１５の上流に付設されているエアフィルタ１４を移動させながら、その塵埃捕集面に捕集されている塵埃を除去してエアフィルタ１４を自動清掃するフィルタ清掃機構２３の構成機器および部品の略すべて、すなわちエアフィルタ１４をフィルタ移動経路１９，２７，２９に沿って移動するフィルタ駆動ローラ２４、エアフィルタ１４から塵埃を掻き取る回転ブラシ２５、該回転ブラシ２５により掻き取られた塵埃を回収するダストボックス２６、フィルタ移動経路１９，２７，２９を形成する多数のフィルタガイド部材、フィルタ駆動ローラ２４および回転ブラシ２５を駆動するステッピングモータ４０，４４を含む駆動機構３８等をフロントカバー３に一体的にかつ着脱自在にアセンブリした構成としている。
【００４２】
このため、部品数が多く構成が複雑になり勝ちで、かつ可動部分が多く、故障時のメンテナンス性や部品交換の容易性が求められるフィルタ清掃機構２３にあって、若しもフィルタ清掃機構２３が故障したとしても、フロントパネル４を上方に開放することによってフィルタ清掃機構２３の略すべてを前面側に露出させ、あるいはフロントカバー３と共にフィルタ清掃機構２３の略すべてをベース本体２から一緒に取り外すことにより、メンテナンスや部品交換を行うことができる。
【００４３】
従って、フィルタ清掃機構２３に対するメンテナンスや部品交換を容易化することができるとともに、フィルタ清掃機構２３を搭載するための専用フレーム等を不要化し、構成の簡素化、コストダウン、組み立ての容易化等を図ることができる。また、室内熱交換器１５や室内送風機１６等が組み込まれるベース本体２側を共用化し、フィルタ清掃機構２３の有無による機種の展開がフロントカバー３の組み替えのみで可能となるため、空気調和機１の生産性を向上することができる。
【００４４】
また、フロントカバー３の中央部にセンターフレーム３Ａ、左右両サイドにサイドフレーム３Ｂ，３Ｃが設けられ、このセンターフレーム３Ａおよびサイドフレーム３Ｂ，３Ｃ間に、フィルタ清掃機構２３を構成するフィルタ駆動ローラ２４、回転ブラシ２５、ダストボックス２６、フィルタ移動経路１９，２７，２９、駆動機構３８、並びにエアフィルタ１４がそれぞれ左右に２分割されて一対設けられている。このため、横長長方形状とされている筐体５内に室内熱交換器１５に沿って付設されるエアフィルタ１４を左右に２分割し、それに対応させて左右一対のフィルタ清掃機構２３を、フロントカバー３に設けられたセンターフレーム３Ａと左右両サイドのサイドフレーム３Ｂ，３Ｃ間に、適度な幅寸法として設置することができる。
【００４５】
従って、フィルタ清掃機構２３をフロントカバー３のセンターフレーム３Ａとサイドフレーム３Ｂ，３Ｃ間に良好な納まり状態で組み込むことができ、フィルタ清掃機構付き空気調和機１をコンパクト化することができる。特に、室内熱交換器１５と前面グリル（または前面カバー、前面パネル）との間に、モジュール化したフィルタ清掃ユニットを組み込んだ構成としたものに比べ、スペースを有効活用することができるため、よりコンパクト化することができる。
【００４６】
また、ステッピングモータ４０，４４や減速歯車列４１をギヤボックス３９に組み込んで一体化した駆動機構３８を、左右両サイドのサイドフレーム３Ｂ，３Ｃの側面にそれぞれ配置した構成としているため、フィルタ駆動ローラ２４および回転ブラシ２５を駆動するステッピングモータ４０，４４や減速歯車列４１等を含む一対の駆動機構３８を、左右一対のエアフィルタ１４の通風路にかからないように、該通風路の左右両端側に配設することができる。従って、フィルタ清掃機構２３を設置したことによる通風抵抗の増大を最小限とし、空調性能に影響を及ぼさないようにすることができる。
【００４７】
さらに、本実施形態では、フロントカバー３に、その前面側を覆うフロントパネル４を開閉自在に設けた構成としている。このため、フロントカバー３の前面に設けられたフロントパネル４によって、フロントカバー３に組み込まれているフィルタ清掃機構２３の前面を覆い隠し、空気調和機１の外観意匠をデザインすることができる。従って、空気調和機１の意匠性が損なわれる虞はなく、しかもエアフィルタ１４およびフィルタ清掃機構２３に対しては、フロントパネル４を開閉するだけで容易に前面側からアクセスすることができる。
【００４８】
なお、本発明は、上記実施形態にかかる発明に限定されるものではなく、その要旨を逸脱しない範囲において、適宜変形が可能である。例えば、上記実施形態では、壁掛け型の空気調和機１に適用した例について説明したが、これに限らず、他型式の空気調和機にも同様に適用できることは云うまでもない。また、フィルタ清掃機構２３は、エアフィルタ１４をフィルタ駆動ローラ２４により移動しながら、回転ブラシ２５で塵埃を掻き取る方式であれば、如何なる構成であってもよい。特に、フィルタ移動経路は様々な態様で変形が可能である。
【符号の説明】
【００４９】
１  空気調和機
３  フロントカバー
３Ａ  センターフレーム
３Ｂ，３Ｃ  サイドフレーム
４  フロントパネル
５  筐体
１４  エアフィルタ
１５  室内熱交換器（熱交換器）
１９  第１フィルタ移動経路
２０，２１，２２  フィルタガイド部材
２３  フィルタ清掃機構
２４  フィルタ駆動ローラ
２５  回転ブラシ
２６  ダストボックス
２７  第２フィルタ移動経路
２８  湾曲ガイド部材
２９  第３フィルタ移動経路
３８  駆動機構
４０  フィルタ用ステッピングモータ
４４  ブラシ用ステッピングモータ
【図１】
0005627355.tif 000002
【図２】
0005627355.tif 000003
【図３】
0005627355.tif 000004
【図４】
0005627355.tif 000005
【図５】
0005627355.tif 000006
【図６】
0005627355.tif 000007